(57)【特許請求の範囲】
【請求項１】
容器本体の側壁に該容器本体とは材質の異なる把手を備えた容器であって、
容器本体はその側壁に把手を取り付ける基部を有するものであり、
把手は、基部の一端から挿入してそれに沿ってスライドさせ、ストッパーの、基部端面での当接にて容器本体に対する位置決めを行う本体部分と、この本体部分につながる把持部分からなり、該本体部分の位置決め状態でストッパーとの挟持下にそれを容器本体に装着して固定保持する一方で、その解除により脱着を可能とした締結手段を備え、
前記把持部分は、一ヶ所が本体部分につながる連結部分を有し、もう一ヶ所が本体部分より分離していて該連結部分を支点にして揺動可能な揺動舌片を有し、かつ、締結手段を介して本体部分に連結するものであり、
該締結手段は、把手の本体部分で、把手の装着姿勢でもって容器本体に向けて開口するとともに、該本体部分より分離した把持部分の揺動舌片を通過させる貫通口と、把持部分の揺動舌片を貫通口に通過させた状態で該貫通口の開口端で係止され把持部分を本体部分に固定保持する二種の係止片を有し、
該二種の係止片は、前記把持部分を本体部分に仮組する係止片と、容器本体に対する把手の位置決めを決定するが、揺動舌片の後端部の押圧により貫通口の開口端との係止を解除して把手を容器本体から取り外す係止片からなる、ことを特徴とする着脱式の把手を備えた容器。
【請求項２】
基部は、幅方向両側端部でそれぞれガイドを形成するフランジと容器本体の側壁につながるウエブからなるＴ型断面を有するものであり、
本体部分は、フランジの幅方向両側端部にそれぞれに形成されたガイドに適合し、該フランジの長手方向に沿う向きにのみスライド可能とした左右で一対になる溝部分を有するものである請求項１記載の着脱式の把手を備えた容器。
【請求項３】
該揺動舌片は、ストッパーとの協働により基部のフランジをその長手方向のそれぞれの端面にて挟持するものである請求項１又は２記載の着脱式の把手を備えた容器。
【発明の詳細な説明】
【０００１】
【発明の属する技術分野】
本発明は、着脱可能な把手付き容器に関し、容器本体に対する把手の簡便で、かつ確実な取り付け、取り外しを実現しようとするものである。
【０００２】
【従来の技術】
醤油や食用油あるいはみりん等を充てんする容器として、近年では、ポリエチレンテレフタレート等の熱可塑性樹脂を使用したものが多用されるようになってきている。
【０００３】
かかる樹脂製の容器は、容器の原型となるプリフォームを金型内で所定の条件のもとで延伸させることによって目的とする形状に仕上げる、いわゆる二軸延伸ブロー成形法が適用されているが、とくに内容物の充てん容量が１リットルを超えるような大型の容器は、持ち運びの際などの取り扱いの容易化を図るために容器本体の側壁部分には把手が取り付けられているのが一般的である。
【０００４】
この種の把手としては、容器本体の成形に際して同時に成形される容器一体型のものが知られているが、このような製造方式は、容器の構造が複雑になるため成形上、好ましいとはいえないことから、通常は、予め射出成形等によって成形しておいた把手を、ブロー成形用の金型に配置して容器本体の成形において、把手の一部分に樹脂を回り込ませることにより両者を連結、一体化するようにしている。
【０００５】
また、最近では、把手の取り付け用の凹みを設けた容器本体を形成し、この凹みに、予め成形しておいた把手を嵌合させることにより容器本体と把手との一体化を図った組合せ構造になる容器も提案されていて、この点に関する先行文献としては、例えば、実公平６−１３０８６号公報あるいは、実開平６−１２４３号公報等が参照される。
【０００６】
【発明が解決しようとする課題】
上述した従来の容器のうち、容器本体の成形後に把手を取り付ける組合せ構造にかかる容器は、強度補償の観点から、容器本体と把手とは性質の異なる材料を用いる場合が多く（容器本体にはＰＥＴが用いられ、把手にはＰＰが用いられている。）、分別回収の要求が急速に高まりつつある近年の趨勢においては、使用ずみの容器を廃棄するに際し、把手を容器本体から取り外す必要があるところ、把手が取り付けられた後の容器において、その取り外しを試みても、一体的な結合状態（fixed）にあるので簡単には取り外すことができず、分別回収が容易に実行できる状態にあるとはいえない。
【０００７】
本発明の課題は、把手の容器本体への取り付けを簡便かつ、確実に行うとともに、容器の廃棄に際しては把手を簡単に取り外して分別回収を実行し得る、新規な把手付き容器を提案するところにある。
【０００８】
【課題を解決するための手段】
本発明は、容器本体の側壁に該容器本体とは材質の異なる把手を備えた容器であって、
容器本体はその側壁に把手を取り付ける基部を有するものであり、把手は、基部の一端から挿入してそれに沿ってスライドさせ、ストッパーの、基部端面での当接にて容器本体に対する位置決めを行う本体部分と、この本体部分につながる把持部分からなり、該本体部分の位置決め状態でストッパーとの挟持下にそれを容器本体に装着して固定保持する一方で、その解除により脱着を可能とした締結手段を備え、
前記把持部分は、一ヶ所が本体部分につながる連結部分を有し、もう一ヶ所が本体部分より分離していて該連結部分を支点にして揺動可能な揺動舌片を有し、かつ、締結手段を介して本体部分に連結するものであり、
該締結手段は、把手の本体部分で、把手の装着姿勢でもって容器本体に向けて開口するとともに、該本体部分より分離した把持部分の揺動舌片を通過させる貫通口と、把持部分の揺動舌片を貫通口に通過させた状態で該貫通口の開口端で係止され把持部分を本体部分に固定保持する二種の係止片を有し、
該二種の係止片は、前記把持部分を本体部分に仮組する係止片と、容器本体に対する把手の位置決めを決定するが、揺動舌片の後端部の押圧により貫通口の開口端との係止を解除して把手を容器本体から取り外す係止片からなる、ことを特徴とする着脱式の把手を備えた容器である。
【０００９】
上記の構成になる容器において、基部は、幅方向両側端部でガイドを形成するフランジと容器本体の側壁につながるウエブからなるＴ型断面を有するものとし、本体部分は、フランジの幅方向両側端部にそれぞれ形成されたガイドに適合し、該フランジの長手方向に沿う向きにのみスライド可能とした左右で一対になる溝部分を有するものとするのが好ましい。
【００１０】
該揺動舌片は、ストッパーとの協働により基部のフランジをその長手方向のそれぞれの端面から挟持するものとするのが望ましい。
【００１２】
【発明の実施の形態】
以下、図面を用いて本発明の実施の形態を具体的に説明する。
図１は本発明に従う着脱式の把手を備えた容器の外観をその要部（容器の上部）について示したものであり、図２は把手の取り付け前における状態を示したものである。
【００１３】
図１、図２における番号１は容器本体を示し、２はこの容器本体１に取り付けられたキャップである。
【００１４】
また、３は容器本体１の側壁に一体的に設けられた基部であり、この基部３は図３にその平面を示す如く、この例では、幅方向両側端部でそれぞれガイドｇを形成するフランジ３ａと容器本体１の側壁につながるウエブ３ｂからなるＴ型断面を有するものとして示してある。
【００１５】
また、４は把手であって、この把手４は本体部分４ａと把持部分４ｂからなり、その断面及び下側外観をそれぞれ図４、図５に示す如く、本体部分４ａはストッパーＳを有し、基部３のフランジ３ａのガイドｇにそれぞれ適合して該フランジ３ａの長手方向に沿う向きにのみスライド可能とする左右で一対になる溝部分ｍが設けられていて、図２の矢印に従って基部３の上端から挿入してガイドｇに沿ってスライドさせ、ストッパーＳの、基部端面での当接にて容器本体１に対する把手４の位置決めが行われる。把持部分４ｂは、一ヶ所に本体部分４ａに直接つながる連結部分Ｐを有しもう一ヶ所は本体部分４ａより分離していて連結部分Ｐを支点にして揺動可能な揺動舌片ｒを有している。
【００１６】
また、５は締結手段であって、この締結手段５は把手４の本体部分４ａでその装着姿勢でもって容器本体１に向けて開口し、該本体部分４より分離した把持部分４ｂの揺動舌片ｒを通過させる貫通口５ａと把持部分４ｂの揺動舌片ｒを図６に示すように貫通口５ａに通過させた状態で該貫通口５ａの開口端に係止させて把持部分４ｂを本体部分４ａに固定保持する係止片５ｂ、５ｃからなっていて、この例では、係止片５ｂ、５ｃは揺動舌片ｒに一体的に設けた場合を示してある。
【００１７】
把手４は射出成形等によって容器本体１とは個別に成形されるが、その成形直後は上掲図４に示したような状態になっている。すなわち、把持部分４ｂの揺動舌片ｒは本体部分４ａと分離した状態になっている。
【００１８】
このような状態で把手４を容器本体１に装着する場合、本体部分４ａと把持部分４ｂとは連結部分Ｐのみでつながる片持ち支持状態なので不安定であり、強度的にも十分とはいえず取り付けに際しては誤って破損することも懸念される。
【００１９】
このため、本発明においては、把持部分４ｂの揺動舌片ｒを本体部分４ａの貫通口５ａに望ませ、図６に示すように該貫通口５ａの開口端に係止片５ｂを係止させて仮組みを行う。
【００２０】
次いで、上掲図２の矢印に示すように、基部３の上端において把手４の本体部分４ａにおける溝部分ｍを基部３のガイドｇに適合させ、このガイドｇに沿って本体部分４ａを下方へスライドさせる。
【００２１】
かかる動作を継続していくと、本体部分４ａのストッパーＳが基部３の端面に当接し、この当接位置で容器本体１に対する把手４の位置が決定されることになる。
【００２２】
次いで、揺動舌片ｒを容器本体１に向けて押圧し図７のように係止片５ｃを貫通口５ａの開口端に係止させる。これによって基部３がその上端、下端でストッパーＳと揺動舌片ｒで挟み込まれ把手４が容器本体１に固定保持された状態となる。
【００２３】
容器の廃棄に際して、把手４を容器本体１から取り外すに際しては、揺動舌片ｒの後端部を図７の矢印のように上方へ押し上げ係止片５ｃと貫通口５ａの開口端との係止を解除すればよく、このとき把持部分４ｂはその弾性的な復原力により上掲図６に示すような状態に戻ることになる。
【００２４】
本発明に適用して好適な熱可塑性樹脂としては、高密度ポリエチレン、ポリエチレンナフタレート、ポリエチレンテレフタレート、ポリプロピレン等があり、容器本体や把手において要求される特性に応じて種々に選択される。
【００２５】
本発明では、把手４を容器本体１に固定保持するに当たっては、Ｔ型断面になる基部３とこの基部３のフランジ３ａに適合する溝部分ｍを利用した場合を例に示したが、本発明は、このような形状のみに限られるわけではなく、互いに相被的な断面形状であれば、例えばＨ型、Ｌ型等種ゝのものが適用できる。また、本発明では、基部３が把手４に、また、把手４の溝部分ｍが容器本体１に設けたものであってもよい。
【００２６】
締結手段５に関しても、着脱可能（取り付け、取り外し可能）なものであればとくに構造については図示のものに限定されることはない。
基部３については、本発明例では容器の上下方向、すなわち、容器の軸線方向に沿う向きに配置する場合について説明したが、かかる配置は容器の軸線方向と直交する向きであってもよく、配置方向もとくに限定されることはない。
【００２７】
【発明の効果】
本発明によれば、把手の容器本体への取り付け、取り外しが非常に簡単であり、使用済容器の廃棄に際しては、ゴミの分別回収が容易である。
【図面の簡単な説明】
【図１】本発明に従う把手付き容器の外観を示した図である。
【図２】本発明に従う把手付き容器において把手を容器本体に取り付ける前の状態を示した図である。
【図３】本発明に従う把手付き容器の容器本体の平面図である。
【図４】把手の断面を示した図である。
【図５】把手の下側の外観を示した図である。
【図６】把手の断面を示した図である。
【図７】把手の固定状態を示した図である。
【符号の説明】
１  容器本体
２  キャップ
３  基部
４  把手
５  締結手段
ｇ  ガイド
Ｓ  ストッパー
ｒ  揺動舌片
Ｐ  連結部分
【図１】
0003992415.tif 000002
【図２】
0003992415.tif 000003
【図３】
0003992415.tif 000004
【図４】
0003992415.tif 000005
【図５】
0003992415.tif 000006
【図６】
0003992415.tif 000007
【図７】
0003992415.tif 000008